(57)【要約】【課題】  安定的な骨組構造を備え、かつ天幕上面に雨水の溜まらない、骨組の設営・撤収が確実にワンタッチで行なえる。【解決手段】  片流式折畳テント５１の前面梁材５４にはヒンジジョイント６２，６３を設け中間支柱６４を立設する。中間支柱６４は上方のヒンジジョイント６２に対して移動可能に挿通し頂部に天幕支持部材７７を冠着する外管６４ａと下部ヒンジジョイント６３に下端を連結固定する内管６４ｂと、この上面に立設して天幕支持部材７７を上方に付勢するコイルバネ６４ｃを有する。コイルバネ６４ｃの伸縮により天幕支持部材７７で天幕７０を押し上げ常時一定の張力を与える。中間支柱６４を二重管構造として、その全体長さを骨組の開閉状況に応じて変化させる。【選択図】        図８
0003104489.tif 000002
【実用新案登録請求の範囲】
【請求項１】
前面に高い柱材、後面に低い柱材を夫々配し、各柱材に装着する連結部材を介してシザース状に動作する梁材で各柱材を連結し、前面柱材から後面柱材にかけて傾斜した天幕を取り付ける片流式の折畳テントにおいて、前記梁材は、前記後面柱材の略頂部より装着する高さを基準として水平に配設すると共に前面柱材同士を連結して少なくとも一箇所以上のヒンジジョイントを設ける前面梁材と、後面柱材同士を連結して少なくとも一箇所以上のヒンジジョイントを設ける後面梁材と、これら前面梁材及び後面梁材と連動し得る側面梁材を有し、前記前面梁材のヒンジジョイントは、弾性的な伸縮が可能な中間支柱を上下動可能に立設し、前記天幕は、前面柱材頂部と後面柱材頂部を結ぶ柱間稜線、前記中間支柱頂部と後面梁材ヒンジジョイント頂部を結ぶ中間稜線、前面柱材頂部同士を水平に結ぶ前面稜線、この前面稜線の前面柱材頂部と中間支柱頂部の中間点より前記後面梁材の交差部上を結ぶ谷線を形成し、各稜線に補強材を付設して設営時に稜線の直線性を保つことを特徴とする片流式の折畳テント。
【請求項２】
前記中間支柱は、下部ヒンジジョイントに下端を連結する内管と、上部ヒンジジョイントに対して移動可能に挿通すると共に内部に前記内管を遊挿し頂部に天幕支持部材を固着する外管と、前記内管の上面に立設して前記天幕支持部材を上方に付勢し得る弾性部材を有することを特徴とする請求項１記載の片流式の折畳テント。
【考案の詳細な説明】
【技術分野】
【０００１】
本考案は、柱材に対し連結部材を介してシザース状に動作する梁材を備え、前面柱材から後面柱材にかけて傾斜した天幕を取り付ける片流式の折畳テントに関する。
【背景技術】
【０００２】
柱材に連結する梁材をシザース状に折り畳むテントについては、例えば特許文献１あるいは特許文献２に記載されるような構造が提案されていた。
【特許文献１】特開２０００−１５４６７１号公報
【特許文献２】特開２００３−２５３９１６号公報
【０００３】
又、シザース状の梁材を備える片流式のテントとしては、例えば図１４に示すような骨組構造のものがあった。この従来の片流式テントは、地表に立設する４本の柱材２０１と、この柱材２０１同士を連結する４面の梁材２０２を有し、柱材２０１の頂部には端部ジョイント２０３を冠着し、その下方に上下方向に移動可能なスライドジョイント２０４を環装していた。これら連結部材を構成する端部ジョイント２０３及びスライドジョイント２０４は梁材２０２を構成する斜材２０５の一端部を回動可能に支持しており、梁材２０２の中央には左右の斜材２０５をピン結合で連結するヒンジジョイント部２０６が設けられいた。
【０００４】
梁材２０２は連結する部分が全てピン結合となっており、同期してシザース状に動作しながら折り畳み可能な構成をとっていたため、使用時には柱材２０１を相互に離隔すれば骨組全体が拡開し、収納時には柱材２０１を近接させることで骨組全体の収縮が可能となる構造であった。
【考案の開示】
【考案が解決しようとする課題】
【０００５】
しかし、従来の片流式テントは、前面の高い柱材と後面の低い柱材の頂部を斜めに連結する構造であったため、骨組として極めて不安定な構造体であった。又、この骨組には図１５に示すように前面柱材から後面柱材にかけて傾斜した天幕２０７を取り付けていたが、後面梁材の斜材交差部付近２０７ａで弛みが生じ易かったので平面性が保持できず、結局天幕上面２０７ｂに雨水が溜まり、片流れの役目を充分に発揮できなかった。
【０００６】
この考案は、従来の片流式折畳テントが有する上記の問題点を解消すべくなされたものであり、安定的な骨組構造を備え、かつ天幕上面に雨水の溜まらない片流式の折畳テントを提供することを目的としている。又、テントの骨組の設営・撤収が確実にワンタッチで行なえる片流式の折畳テントを提供することを目的としている。
【課題を解決するための手段】
【０００７】
上記課題を解決するため、この考案の片流式の折畳テントは、前面に高い柱材、後面に低い柱材を夫々配し、各柱材に装着する連結部材を介してシザース状に動作する梁材で各柱材を連結し、前面柱材から後面柱材にかけて傾斜した天幕を取り付ける片流式の折畳テントにおいて、前記梁材は、前記後面柱材の略頂部より装着する高さを基準として水平に配設すると共に前面柱材同士を連結して少なくとも一箇所以上のヒンジジョイントを設ける前面梁材と、後面柱材同士を連結して少なくとも一箇所以上のヒンジジョイントを設ける後面梁材と、これら前面梁材及び後面梁材と連動し得る側面梁材を有し、前記前面梁材のヒンジジョイントは、弾性的な伸縮が可能な中間支柱を上下動可能に立設し、前記天幕は、前面柱材頂部と後面柱材頂部を結ぶ柱間稜線、前記中間支柱頂部と後面梁材ヒンジジョイント頂部を結ぶ中間稜線、前面柱材頂部同士を水平に結ぶ前面稜線、この前面稜線の前面柱材頂部と中間支柱頂部の中間点より前記後面梁材の交差部上を結ぶ谷線を形成し、各稜線に補強材を付設して設営時に稜線の直線性を保つことを特徴とするものである。
【０００８】
中間支柱は上方のヒンジジョイントを遊挿し下方のヒンジジョイントで支持されるため骨組の開閉時に上下動可能であり、又軸力作用時に弾性的な伸縮が可能な構造である。柱材相互を離隔した時の中間支柱頂部は前面柱材の頂部より高くなるが、天幕を取付けると中間支柱に軸力が作用するため前面柱材頂部高さまで弾性的に沈下する。この伸縮により中間支柱の頂部で天幕を押し上げ常時一定の張力を与える。
【０００９】
天幕は、伸張した後面梁材の形状に合わせて側面のシート材を波形に切断し上面のシート材をこれと直角に縫製する。この縫製により天幕は稜線と谷線を形成して後面梁材に密着する。後面に向ってＶ字型の溝ができ、上面に弛みが発生しないため雨水は滞留することなく外側に流れ落ちる。
【００１０】
天幕が後面梁材に密着すると共に、全ての梁材が地面と平行な高さで柱材を連結するので、骨組構造が安定する。各稜線に付設する補強材としてはシート材を重合したり、帯材又はロープ等を内設する。稜線部はスパンが長くなるため、これら補強材を敷設することで充分な引張強度を持たせ、直線性を保ち天幕に弛みを発生させない。
【００１１】
請求項２記載の片流式折畳テントの中間支柱は、下部ヒンジジョイントに下端を連結する内管と、上部ヒンジジョイントに対して移動可能に挿通すると共に内部に前記内管を遊挿し頂部に天幕支持部材を固着する外管と、前記内管の上面に立設して前記天幕支持部材を上方に付勢し得る弾性部材を有することを特徴とするものである。
【００１２】
中間支柱を二重管構造として、その全体長さを骨組の開閉状況に応じて変化させる。柱材相互を離隔した時には、前面梁材の下部ヒンジジョイントが内管を支持し、外管内を押し上げるため全体長さは縮小する。又天幕を取付時には更に外管が弾性沈下する。
【００１３】
骨組折畳時には、下部ヒンジジョイントが内管を引き下げる一方上部ヒンジジョイントは摺動しながら上昇し最終的に天幕支持部材に当接して外管を押し上げるため全体長さは伸張する。
【考案の効果】
【００１４】
この考案の片流式の折畳テントは、梁材を水平に配設すると共に、天幕に稜線と谷線を形成するので、後面に向ってＶ字型の溝ができ、上面に弛みが発生しないため雨水は滞留することなく外側に流れ落ちる。又天幕が後面梁材に密着すると共に、全ての梁材が地面と平行な高さで柱材を連結するので、骨組構造が安定する。又前面梁材には、弾性的な伸縮が可能な中間支柱を上下動可能に立設するので、天幕を押し上げ常時一定の張力を与えることができ、更に各稜線に補強材を付設して設営時に稜線の直線性を保つので、天幕に弛みが発生しなくなる。
【００１５】
請求項２記載の片流式折畳テントの天幕は、中間支柱を二重管構造として、その全体長さを骨組の開閉状況に応じて変化させるので、骨組折畳時に上下ヒンジジョイントが離隔してもこれに追随でき下部が宙に浮くことはない。従って柱材相互を離隔した時に手を添えて差込固定しなくとも中間支柱を立設することができ、テントの骨組の設営・撤収が確実にワンタッチで行なえる。
【考案を実施するための最良の形態】
【００１６】
次にこの考案の実施の形態を添付図面に基づき詳細に説明する。図１は片流式の折畳テントの骨組構成を示す斜視図、図２は同骨組に天幕を装着した斜視図である。片流式折畳テント１は、前面柱材２，２と後面柱材３，３、前面柱材２同士を連結する前面梁材４、後面柱材３同士を連結する後面梁材５、これら前面梁材４及び後面梁材５と連動し得る２面の側面梁材６，６を有する。
【００１７】
各梁材４，５，６は斜材７，７をピン８でシザース状に連結し、後面柱材３の頂部に装着する端部ジョイント９、その下方に遊挿するスライドジョイント１０、これらに対応して同一レベルで前面柱材２に装着する上部ジョイント１１及びその下方のスライドジョイント１０と夫々ヒンジ結合する。
【００１８】
前面梁材４は連続する斜材７の連結部にヒンジジョイント１２，１３を設け、この部分に中間支柱１４を立設する。又後面梁材５及び側面梁材６も夫々斜材７の連結部にヒンジジョイント１５，１６を設ける。これらヒンジジョイント１２，１３，１５，１６からテント中心部に向かってリンク部材１７が取り付けられ、それらが集合する中心部には中央ヒンジジョイント１８，１９が連結される。
【００１９】
天幕２０は図２に示すように、伸張した後面梁材５の形状に合わせて側面のシート材２０ａを波形に切断し、上面のシート材２０ｂをこれと直角に縫製する。この縫製により天幕２０は、前面柱材２の頂部と後面柱材３の頂部を結ぶ柱間稜線２１、中間支柱１４の頂部と後面梁材５のヒンジジョイント１５の頂部を結ぶ中間稜線２２、前面柱材２の頂部同士を水平に結ぶ前面稜線２３、この前面稜線２３における前面柱材２と中間支柱４の中間点より後面梁材５の交差部上を結ぶ谷線２４を夫々形成する。従って天幕２０には後面に向ってＶ字型の溝ができ、上面に弛みが発生しないため雨水は滞留することなく外側に流れ落ちる構成となる。
【００２０】
又各稜線２１，２２，２３には補強材２５を付設して設営時に稜線の直線性を保つ。補強材２５としては例えば補強布、帯材、ロープ等が用いられるが、長い柱スパンに架設する天幕稜線ができるだけ弛まないような引張強度を備えた素材を採用する。
【００２１】
次に各ジョイントの詳細を図３乃至図５に基き説明する。図３は前面柱材に装着する連結部材の斜視図、図４は中間支柱に装着するヒンジジョイントの斜視図、図５は後面梁材の連結部に設けるヒンジジョイントの斜視図である。
【００２２】
前面柱材２は上部ジョイント１１とスライドジョイント１０を貫通し、頂部に天幕支持部材２６を冠着する。天幕支持部材２６は中間支柱１４の方向に跳ね出す形状で前面稜線２３の直線性を保つ助けとなる。更に、補強材２５で補強された天幕２０を骨組に固定する際の引張時に歪みを無くす効果もある。
【００２３】
上部ジョイント１１は後面柱材３の頂部に装着する端部ジョイント９と同一高さに固定されており、２方向の斜材取付部１１ａ，１１ｂを突設して夫々斜材７をヒンジ結合する。
【００２４】
スライドジョイント１０は、前面柱材２を挿通する鞘管１０ａより２方向に斜材取付部１１ｂ，１１ｃを突設して斜材７をヒンジ結合し、下方に係止ピン１１ｄを付設する。係止ピン１１ｄは内設する弾性部材により内方に付勢されており、前面柱材２の図示しないピン孔に挿入されるとその移動が停止する。
【００２５】
中間支柱１４は上方のヒンジジョイント１２を貫通し、有底のヒンジジョイント１３で支持される。中間支柱１４の頂部にも天幕支持部材２７を冠着し、その両方向に跳ね出す片持部で前面稜線２３の直線性を保つ。天幕支持部材２６，２７は天幕２０の傾斜角に沿った楔状に形成されている。
【００２６】
上方のヒンジジョイント１２は３方向の斜材取付部１２ａ，１２ｂ，１２ｃを突設して夫々斜材７若しくはリンク部材１７をヒンジ結合する。このヒンジジョイント１２は中間支柱１４を上下動可能に遊挿し、骨組展開時には中間支柱１４の頂部が前面柱材２の頂部と同一高さになった時点で固定される。
【００２７】
後面梁材の連結部に設けるヒンジジョイント１５も３方向の斜材取付部１５ａ，１５ｂ，１５ｃを突設して夫々斜材７若しくはリンク部材１７をヒンジ結合する。なお、側面梁材６に設けるヒンジジョイントも同様な構成となる。
【００２８】
これらのヒンジジョイント１２，１３，１５，１６に連結するリンク部材１７をテント中央でヒンジ結合する中央ヒンジジョイント１８，１９は、夫々４方向の斜材取付部を有するものであるが、天幕支持支柱を備える構成としてもよい。この実施形態を図６に示す。
【００２９】
図６は別の実施形態の中央ヒンジジョイントの斜視図である。中央ヒンジジョイント１１８は天幕支持支柱１１４を上下動可能に遊挿し、有底の中央ヒンジジョイント１１９でこれを支持する。天幕支持支柱１１４の頂部にも天幕支持部材１２７を冠着し中間稜線２２の直線性を保つ。天幕支持支柱１１４の頂部高さはこの中間稜線２２の中央高さに合せる。
【００３０】
次に前面柱材の前方に庇を設ける実施形態を図７に基づき説明する。前面柱材２の上部ジョイント１１１は３方向の斜材取付部１１１ａ，１１１ｂ，１１１ｃを突設し、前方に突設する斜材取付部１１１ｃに庇用アーム２８をヒンジ結合する。同様に中間支柱１４においても４方向に跳ね出すヒンジジョイント１１２を設け、庇用アーム２８を取り付ける。この庇用アーム２８に天幕の庇部１２０を掛ける。
【００３１】
次に伸縮可能な中間支柱を備える別の実施形態を図８及び図９に基づき説明する。図８は別の実施形態の片流式折畳テントの骨組構成を示す正面図、図９は中間支柱の拡大断面図である。片流式折畳テント５１の前面柱材５２，５２を連結する前面梁材５４には斜材５７の連結部にヒンジジョイント６２，６３を設け、この部分に中間支柱６４を立設する。
【００３２】
中間支柱６４は、上方のヒンジジョイント６２に対して移動可能に挿通し頂部に天幕支持部材７７を冠着する外管６４ａと、有底の下部ヒンジジョイント６３に図示しないビス等で下端を連結固定する内管６４ｂと、この上面に立設して天幕支持部材７７を上方に付勢するコイルバネ６４ｃを有する。
【００３３】
図８及び図９のように前面柱材５２，５２相互を離隔した時にはコイルバネ６４ｃで外管６４ａは支持されており、中間支柱６４の頂部は前面柱材５２の頂部よりｈだけ高くなる。
【００３４】
図１０及び図１１に示すように前面稜線７３が直線となるよう天幕７０を取付けると、外管６４ａはｈ分弾性沈下する。このコイルバネ６４ｃの伸縮により天幕支持部材７７で天幕７０を押し上げ常時一定の張力を与える。なお、弾性沈下ができるように外管６４ａから露出する内管６４ｂの長さを適宜設定する。
【００３５】
次に骨組折畳時の作用を図１２及び図１３に基づき説明する。前面柱材５２を近接するとスライドジョイント６０が下降し、斜材５７が重なり合ってくる。この時下部ヒンジジョイント６３が内管６４ｂを引き下げる一方、上部ヒンジジョイント６２は外管６４ａ部分を摺動しながら上昇し、最終的には天幕支持部材７７に当接して外管６４ａを押し上げる。
【００３６】
このように中間支柱６４を二重管構造として、その全体長さを骨組の開閉状況に応じて変化させるので、骨組折畳時に上下ヒンジジョイント６２，６３が離隔しても、そのスパン長さに追随でき、中間支柱６４の下部が宙に浮くことはない。従って柱材相互を離隔してテントを組み立てる時に手を添えて差込固定しなくとも中間支柱６４を自動的に立設することができ、テントの骨組の設営・撤収が確実にワンタッチで行なえる。
【産業上の利用可能性】
【００３７】
この片流式折畳テントは、６本以上の柱材を有する大型テント、側面梁材にヒンジジョイントを設けずリンク部材も省略した小型テントの場合にも適用できる。
【図面の簡単な説明】
【００３８】
【図１】片流式折畳テントの骨組構成を示す斜視図である。
【図２】片流式折畳テントの骨組に天幕を装着した斜視図である。
【図３】前面柱材に装着する連結部材の斜視図である。
【図４】中間支柱に装着するヒンジジョイントの斜視図である。
【図５】後面梁材の連結部に設けるヒンジジョイントの斜視図である。
【図６】別の実施形態の中央ヒンジジョイントの斜視図である。
【図７】別の実施形態の前面柱材及び中間支柱の連結部の斜視図である。
【図８】伸縮可能な中間支柱を備える実施形態の片流式折畳テントの骨組構成を示す正面図である。
【図９】図８に示す中間支柱の拡大断面図である。
【図１０】伸縮可能な中間支柱を備える片流式折畳テントの天幕取付時の正面図である。
【図１１】図１０に示す中間支柱の拡大断面図である。
【図１２】伸縮可能な中間支柱を備える片流式折畳テントの骨組折畳時の正面図である。
【図１３】図１２に示す中間支柱の拡大断面図である。
【図１４】従来の片流式折畳テントの骨組構成を示す斜視図である。
【図１５】従来の片流式折畳テントの骨組に天幕を装着した斜視図である。
【符号の説明】
【００３９】
５１  片流式折畳テント
５２  前面柱材
５４  前面梁材
６４  中間支柱
６４ａ  外管
６４ｂ  内管
６４ｃ  コイルバネ
７０  天幕
７７  天幕支持部材
【図１】
0003104489.tif 000003
【図２】
0003104489.tif 000004
【図３】
0003104489.tif 000005
【図４】
0003104489.tif 000006
【図５】
0003104489.tif 000007
【図６】
0003104489.tif 000008
【図７】
0003104489.tif 000009
【図８】
0003104489.tif 000010
【図９】
0003104489.tif 000011
【図１０】
0003104489.tif 000012
【図１１】
0003104489.tif 000013
【図１２】
0003104489.tif 000014
【図１３】
0003104489.tif 000015
【図１４】
0003104489.tif 000016
【図１５】
0003104489.tif 000017